(57)【要約】【課題】オンラインショップなどの販売者等の支払いを受ける者とその購買者等の支払者との二者間での金品の授受を行う場合に、支払者から支払いを受ける者に対して一切の個人情報を知らせることなく支払いを行うことを可能にする。【解決手段】情報管理装置１は、支払受取者から支払者に対して提供され通信ネットワークにより接続される支払者装置３から送信された取引コードおよび支払者識別情報を受信する取引情報受信手段１０２と、取引情報受信手段１０２により受信した取引コードと情報記憶手段１００に記憶した取引コードとを照合し、照合できた場合に、取引情報受信手段１０２により受信した支払者識別情報と、この取引コードに該当する支払受取者識別情報および支払受取者決済情報とを伴って、通信ネットワークにより接続される決済装置４に決済を依頼する決済依頼手段１０３とを有する。【選択図】  図１
2006155430.tif 000002
【特許請求の範囲】
【請求項１】
二者間での金品の授受に伴う支払いを支援するための情報管理装置であって、
支払者を識別するための支払者識別情報と、決済機関により支払者との間で決済を行うための支払者決済情報と、支払いを受ける者（以下、「支払受取者」と称す。）を識別するための支払受取者識別情報と、前記決済機関により支払受取者との間で決済を行うための決済金額を含む支払受取者決済情報と、前記支払受取者識別情報および支払受取者決済情報を含む取引コードとを記憶する情報記憶手段と、
前記支払受取者から支払者に対して提供され通信ネットワークにより接続される支払者側の装置から送信された取引コードおよび支払者識別情報を受信する取引情報受信手段と、
前記取引情報受信手段により受信した取引コードと前記情報記憶手段に記憶した取引コードとを照合し、照合できた場合に、前記取引情報受信手段により受信した支払者識別情報と、前記取引コードに該当する支払受取者識別情報および支払受取者決済情報とを伴って、通信ネットワークにより接続される前記決済機関側の装置に決済を依頼する決済依頼手段と
を有する情報管理装置。
【請求項２】
前記取引コードは、通信ネットワークにより接続される支払受取者側の装置により発行され、前記情報記憶手段に記憶されたものである請求項１記載の情報管理装置。
【請求項３】
通信ネットワークにより接続される支払受取者側の装置に対し、前記支払受取者識別情報および支払受取者決済情報を含む取引コードを発行するとともに、この発行した取引コードを前記情報記憶手段に記憶する取引コード発行手段を有する請求項１記載の情報管理装置。
【請求項４】
前記支払受取者は無体物を提供する者、前記支払者は前記無体物を購入する者であり、
前記取引コードは、前記無体物を識別するための無体物識別情報を含むものである
請求項１から３のいずれかに記載の情報管理装置。
【請求項５】
前記支払受取者は、有体物を提供する者、前記支払者は、前記有体物の購入代金として支払を行う者であり、
前記取引コードは、前記有体物を識別するための有体物識別情報を含み、
前記情報記憶手段は、前記支払者識別情報に関連付けて前記有体物の配送先に関する情報を記憶し、
さらに、前記決済機関による決済処理の後、前記有体物の配送先に関する情報を前記有体物の配送者側の装置へ通知する配送情報通知手段を有する
請求項１から３のいずれかに記載の情報管理装置。
【請求項６】
請求項１から５のいずれかに記載の情報管理装置と、支払受取者側の装置（以下、「支払受取者装置」と称す。）と、支払者側の装置（以下、「支払者装置」と称す。）とを含み、
前記支払受取者装置は、前記取引コードを前記支払者装置へ送信する取引コード送信手段を有し、
前記支払者装置は、前記支払受取者装置により送信された取引コードを取得する手段と、前記支払者識別情報を取得する手段と、前記取得した取引コードおよび支払者識別情報を前記情報管理装置へ送信する手段とを有する
情報管理システム。
【請求項７】
前記情報管理装置は、前記支払者装置から送信された取引コードおよび支払者識別情報を受信した後、前記支払者装置に対して決済の確認を依頼する手段を有し、
前記支払者装置は、前記情報管理装置からの決済の確認の依頼に対して返答する手段を有する
請求項６記載の情報管理システム。
【請求項８】
前記支払者装置は、前記情報管理装置からの決済の確認の依頼がなされる支払者側の第２の装置（以下、「支払者第２装置」と称す。）を指定する手段を有し、
前記情報管理装置は、前記支払者装置から送信された取引コードおよび支払者識別情報を受信した後、前記支払者装置により指定された支払者第２装置に対して決済の確認を依頼する手段を有し、
前記支払者第２装置は、前記情報管理装置からの決済の確認の依頼に対して返答する手段を有する
請求項６記載の情報管理システム。
【請求項９】
前記支払者装置は、前記支払受取者装置により送信された取引コードを取得し、表示する主装置と、この主装置に表示された取引コードおよび前記支払者識別情報が入力され、入力された取引コードおよび支払者識別情報を前記情報管理装置へ送信する副装置とから構成される請求項６から８のいずれかに記載の情報管理システム。
【請求項１０】
前記主装置は、前記取引コードを二次元コードとして表示するものであり、
前記副装置は、前記二次元コードを読み取ることにより前記取引コードを入力する手段を有するものである
請求項９記載の情報管理システム。
【請求項１１】
コンピュータを二者間での金品の授受に伴う支払いを支援するための情報管理装置として機能させる情報管理プログラムであって、
前記コンピュータを、
支払者を識別するための支払者識別情報と、決済機関により支払者との間で決済を行うための支払者決済情報と、支払いを受ける者（以下、「支払受取者」と称す。）を識別するための支払受取者識別情報と、前記決済機関により支払受取者との間で決済を行うための決済金額を含む支払受取者決済情報と、前記支払受取者識別情報および支払受取者決済情報を含む取引コードとを記憶する情報記憶手段と、
前記支払受取者から支払者に対して提供され通信ネットワークにより接続される支払者側の装置から送信された取引コードおよび支払者識別情報を受信する取引情報受信手段と、
前記取引情報受信手段により受信した取引コードと前記情報記憶手段に記憶した取引コードとを照合し、照合できた場合に、前記取引情報受信手段により受信した支払者識別情報と、前記取引コードに該当する支払受取者識別情報および支払受取者決済情報とを伴って、通信ネットワークにより接続される前記決済機関側の装置に決済を依頼する決済依頼手段と
して機能させるための情報管理プログラム。
【請求項１２】
二者間での金品の授受に伴う支払いを支援するための情報管理装置による情報管理方法であって、
前記情報管理装置は、支払者を識別するための支払者識別情報と、決済機関により支払者との間で決済を行うための支払者決済情報と、支払いを受ける者（以下、「支払受取者」と称す。）を識別するための支払受取者識別情報と、前記決済機関により支払受取者との間で決済を行うための決済金額を含む支払受取者決済情報と、前記支払受取者識別情報および支払受取者決済情報を含む取引コードとを記憶し、
前記情報管理装置が、前記支払受取者から支払者に対して提供され通信ネットワークにより接続される支払者側の装置から送信された取引コードおよび支払者識別情報を受信する取引情報受信ステップと、
前記情報管理装置が、前記取引情報受信ステップにより受信した取引コードと前記記憶した取引コードとを照合し、照合できた場合に、前記取引情報受信ステップにより受信した支払者識別情報と、前記取引コードに該当する支払受取者識別情報および支払受取者決済情報とを伴って、通信ネットワークにより接続される前記決済機関側の装置に決済を依頼する決済依頼ステップと
を含む情報管理方法。
【請求項１３】
二者間での金品の授受に伴う支払いを支援するための情報管理装置と、支払受取者側の装置（以下、「支払受取者装置」と称す。）と、支払者側の装置（以下、「支払者装置」と称す。）とによる情報管理方法であって、
前記情報管理装置は、支払者を識別するための支払者識別情報と、決済機関により支払者との間で決済を行うための支払者決済情報と、支払いを受ける者（以下、「支払受取者」と称す。）を識別するための支払受取者識別情報と、前記決済機関により支払受取者との間で決済を行うための決済金額を含む支払受取者決済情報とを記憶し、
前記支払受取者装置が、前記支払受取者識別情報および支払受取者決済情報を含む取引コードを発行するとともに、この発行した取引コードを前記情報管理装置に送信する取引コード発行ステップと、
前記支払受取者装置が、前記支払受取者から支払者に対して提供された取引コードを前記支払者装置へ送信する取引コード送信ステップと、
前記支払者装置が、前記支払受取者装置により送信された取引コードを取得するステップと、
前記支払者装置が、前記支払者識別情報を取得するステップと、
前記支払者装置が、前記取得した取引コードおよび支払者識別情報を前記情報管理装置へ送信するステップと、
前記情報管理装置が、通信ネットワークにより接続される支払者側の装置から送信された取引コードおよび支払者識別情報を受信する取引情報受信ステップと、
前記情報管理装置が、前記取引情報受信ステップにより受信した取引コードと前記取引コード発行ステップにより発行された取引コードとを照合し、照合できた場合に、前記取引情報受信ステップにより受信した支払者識別情報と、前記取引コードに該当する支払受取者識別情報および支払受取者決済情報とを伴って、通信ネットワークにより接続される前記決済機関側の装置に決済を依頼する決済依頼ステップと
を含む情報管理方法。
【請求項１４】
二者間での金品の授受に伴う支払いを支援するための情報管理装置と、支払受取者側の装置（以下、「支払受取者装置」と称す。）と、支払者側の装置（以下、「支払者装置」と称す。）とによる情報管理方法であって、
前記情報管理装置は、支払者を識別するための支払者識別情報と、決済機関により支払者との間で決済を行うための支払者決済情報と、支払いを受ける者（以下、「支払受取者」と称す。）を識別するための支払受取者識別情報と、前記決済機関により支払受取者との間で決済を行うための決済金額を含む支払受取者決済情報とを記憶し、
前記情報管理装置が、通信ネットワークにより接続される支払受取者装置に対し、前記支払受取者識別情報および支払受取者決済情報を含む取引コードを発行するとともに、この発行した取引コードを前記情報記憶手段に記憶する取引コード発行ステップと、
前記支払受取者装置が、前記取引コード発行ステップにより発行された取引コードを前記支払者装置へ送信する取引コード送信ステップと、
前記支払者装置が、前記支払受取者装置により送信された取引コードを取得するステップと、
前記支払者装置が、前記支払者識別情報を取得するステップと、
前記支払者装置が、前記取得した取引コードおよび支払者識別情報を前記情報管理装置へ送信するステップと、
前記情報管理装置が、通信ネットワークにより接続される支払者装置から送信された取引コードおよび支払者識別情報を受信する取引情報受信ステップと、
前記情報管理装置が、前記取引情報受信ステップにより受信した取引コードと記憶した取引コードとを照合し、照合できた場合に、前記取引情報受信ステップにより受信した支払者識別情報と、前記取引コードに該当する支払受取者識別情報および支払受取者決済情報とを伴って、通信ネットワークにより接続される前記決済機関側の装置に決済を依頼する決済依頼ステップと
を含む情報管理方法。
【請求項１５】
請求項６から１０のいずれかに記載の情報管理システムにおいて、前記支払受取者を商品の販売者とし、前記支払者を前記商品の購入者としたネットワークショッピングシステム。
【請求項１６】
請求項６から１０のいずれかに記載の情報管理システムにおいて、前記支払受取者を寄付金を募る募金者とし、前記支払者を前記寄付金を送金する送金者とし、前記決済金額を送金金額としたネットワーク募金システム。
【請求項１７】
請求項６から１０のいずれかに記載の情報管理システムにおいて、前記支払受取者を商品の販売者とし、前記支払者を前記商品の購入者とし、前記支払受取者装置を前記販売者の販売店に設置された端末とし、前記支払者装置を前記購入者の携帯端末とした商品販売システム。
【請求項１８】
請求項１から５のいずれかに記載の情報管理装置の情報記憶手段に記憶される取引コードを商品の広告記事として掲載した広告物。
【請求項１９】
請求項１から５のいずれかに記載の情報管理装置の情報記憶手段に記憶される取引コードを各商品について提供する自動販売機。
【請求項２０】
請求項１から５のいずれかに記載の情報管理装置の情報記憶手段に記憶される取引コードをロッカーの各箱について提供する電子ロッカーシステム。
【請求項２１】
請求項１から５のいずれかに記載の情報管理装置の情報記憶手段に記憶される取引コードを各電子キーについて提供する電子キーシステム。
【請求項２２】
請求項１から５のいずれかに記載の情報管理装置の情報記憶手段に記憶される取引コードをテレビジョン放送により放送する商品広告映像とするテレビショッピングシステム。
【請求項２３】
請求項６から１０のいずれかに記載の情報管理システムにおいて、前記支払受取者を商品またはサービスの提供者とし、前記支払者を前記商品またはサービスの利用者とし、前記支払受取者装置を前記商品またはサービスの提供者の端末とし、前記支払者装置を前記商品またはサービスの利用者の携帯端末とした料金精算システム。
【請求項２４】
請求項６から１０のいずれかに記載の情報管理システムにおいて、前記支払受取者を電子マネーの受取者とし、前記支払者を前記電子マネーの送金者とし、前記支払受取者装置を前記電子マネーの受取者の携帯端末とし、前記支払者装置を前記電子マネーの送金者の携帯端末とした電子マネー授受システム。
【請求項２５】
請求項６から１０のいずれかに記載の情報管理システムにおいて、前記支払受取者装置を前記決済機関により取り扱うプリペイド型の電子マネーの補充を行うための現金チャージ機とし、前記支払者装置を前記購入者の携帯端末とし、前記決済金額は前記電子マネーの補充金額とした商品販売システム。
【発明の詳細な説明】
【技術分野】
【０００１】
本発明は、二者間での金品の授受に伴う支払いを支援する情報管理装置、情報管理システム、情報管理プログラムおよび情報管理方法、並びに、ネットワークショッピングシステム、ネットワーク募金システム、商品販売システム、広告物、自動販売機、電子ロッカーシステム、電子キーシステム、テレビショッピングシステム、料金精算システム、電子マネー授受システムに関する。
【背景技術】
【０００２】
従来、インターネット等のネットワーク上において、クレジットカードやプリペイド型の電子マネー等を利用したオンライン決済が行われている（例えば、非特許文献１参照。）。利用者は、オンラインショップの商品販売ページを閲覧して商品を選択し、決済方法を選択してオンライン決済を行う。このとき、利用者は、オンラインショップの決済ページにて、クレジットカード番号、有効期限や商品配達先の住所等の必要事項を入力し、オンラインショップへ送信する。一方、オンラインショップは、利用者から商品購入の申し込みがあった旨をクレジットカード発行会社等へ連絡し、決済承認が得られた後、指定された住所へ商品の発送を行う。
【０００３】
しかしながら、このようなオンライン決済では、利用者は商品購入の度にクレジットカード番号や住所等の個人情報を入力しなければならず、セキュリティ上、好ましくない。ネットワークを通してこれらの重要なデータを送信する際の第三者による盗聴についてはＳＳＬ（Ｓｅｃｕｒｅ  Ｓｏｃｋｅｔ  Ｌａｙｅｒ）による暗号化通信技術（例えば、非特許文献２参照。）により防ぐことが可能であるが、オンラインショップからのデータの流出や、この流出したデータの悪用等を防ぐことはできない。
【０００４】
従来のオンライン決済に関する技術として、例えば、特許文献１には、携帯電話等のモバイル機器にインストールされたワンクリック決済プログラムに従って顧客が購入希望の商品データと予め格納されているクレジットカードデータとを暗号化してモバイルショップへ送信すると、モバイルショップはクレジットカード発行会社へ復号キーを要求すると共に要求に従ってクレジットカード発行会社から受信した復号キーを用いてモバイル機器から受信された商品データおよびクレジットカードデータを復号化した後、クレジットカード発行会社に決済情報を送信する構成により、顧客が商品購入の毎に桁数の大きいクレジットカード番号及び有効期限等のデータを入力する必要がなく、簡単な操作でかつ高い安全性をもって商品の購入を行うことができると記載されている。
【０００５】
また、特許文献２には、購入する商品およびその個数の情報からなる購入情報と利用者毎に異なる利用者識別子とを第１の情報端末から小売店サーバに送出し、購入情報および商品情報から購入代金を算出し、購入代金、その振り込み先、購入情報から読み取った商品、および利用者識別子の情報からなる決済情報を二次元コードで小売店サーバから第１の情報端末に送出し、第１の情報端末に表示された二次元コードを第２の情報端末に備えたカメラ部に撮影させると共に取り込ませ、取り込まれた二次元コードから決済情報を読み取り、読み取った決済情報を決済代行業者サーバに送出し、第２の情報端末から受信した決済情報に示される購入代金を決済する方法が記載されている。
【０００６】
また、特許文献３には、クレジットカード番号を販売店に知らせることなく、商取引を成立させるため、クレジットカード番号の代わりに信託管理コードを流通させることにより売買を成立させるシステムが記載されている。このシステムでは、購入者と販売者との取引の内容を、購入者のパソコンから決済サーバに送信する。決済サーバはその取引に対して信託管理コードを発行し、それをパソコンに送信する。購入者はパソコンから商品の正式発注データと共にその信託管理コードを販売者の販売サーバに送信する。販売サーバはその信託管理コードを決済サーバに送信し、決済サーバはその信託管理コードが正当なものであるかを確認する。決済サーバは、販売者の口座に対して支払処理を行い、購入者の口座に対して引落処理を行う。
【０００７】
【特許文献１】特開２００４−２５８８４４号公報
【特許文献２】特開２００３−１４１４３３号公報
【特許文献３】特開２００２−３２６９０号公報
【非特許文献１】“ＤｏｏＧＡ−Ｅｄｙ（電子マネー）”，［online］，株式会社ドーガ，［平成１６年１１月５日検索］，インターネット＜ＵＲＬ：http://www.dooga.co.jp/service/edy/index.html＞
【非特許文献２】“日本ベリサイン  電子証明書”，［online］，日本ベリサイン株式会社，［平成１６年１１月２５日検索］，インターネット＜ＵＲＬ：http://www.verisign.co.jp/＞
【発明の開示】
【発明が解決しようとする課題】
【０００８】
非特許文献２や特許文献１に記載のようにネットワーク上の個人情報のやり取りを暗号化通信技術により行っても、オンラインショップからのデータの流出や、流出したデータの悪用等を防ぐことは不可能である。また、特許文献２，３に記載の技術では、オンラインショップにクレジットカード番号を知らせることはないが、その代わりに特許文献２では購入する商品およびその個数の情報からなる購入情報と利用者毎に異なる利用者識別子とを知らせ、特許文献３では商品の正式発注データと信託管理コードとを知らせている。
【０００９】
特許文献２，３に記載の技術では、クレジットカード番号をオンラインショップに直接知らせないので、クレジットカード番号の流出や悪用等は起こりにくいものの、このクレジットカード番号に代えて個人を特定する利用者識別子や信託管理コードをオンラインショップに知らせているので、完全に起こらないとは言えない。また、その個人が何を購入したかという情報がオンラインショップに知られてしまうという問題がある。
【００１０】
そこで、本発明においては、オンラインショップなどの販売者等の支払いを受ける者とその購買者等の支払者との二者間での金品の授受を行う場合に、支払者から支払いを受ける者に対して一切の個人情報を知らせることなく支払いを行うことを可能にすることを目的とする。
【課題を解決するための手段】
【００１１】
図１は本発明の情報管理装置の構成を示すブロック図である。
図１に示すように、本発明の情報管理装置１は、二者間での金品の授受に伴う支払いを支援するための情報管理装置であって、支払者を識別するための支払者識別情報と、決済機関により支払者との間で決済を行うための支払者決済情報と、支払いを受ける者（以下、「支払受取者」と称す。）を識別するための支払受取者識別情報と、決済機関により支払受取者との間で決済を行うための決済金額を含む支払受取者決済情報と、支払受取者識別情報および支払受取者決済情報を含む取引コードとを記憶する情報記憶手段１００と、支払受取者から支払者に対して提供され通信ネットワーク（図示せず。）により接続される支払者側の装置（以下、「支払者装置」と称す。）３から送信された取引コードおよび支払者識別情報を受信する取引情報受信手段１０２と、取引情報受信手段１０２により受信した取引コードと情報記憶手段１００に記憶した取引コードとを照合し、照合できた場合に、取引情報受信手段１０２により受信した支払者識別情報と、この取引コードに該当する支払受取者識別情報および支払受取者決済情報とを伴って、通信ネットワーク（図示せず。）により接続される決済機関側の装置（以下、「決済装置」と称す。）４に決済を依頼する決済依頼手段１０３とを有する。
【００１２】
ここで、取引コードは、図１に示すように通信ネットワーク（図示せず。）により接続される支払受取者側の装置（以下、「支払受取者装置」と称す。）により発行され、情報記憶手段１００に記憶されたものとすることができる。あるいは、図２に示すように本発明の情報管理装置１が、通信ネットワークにより接続される支払受取者装置２に対し、支払受取者識別情報および支払受取者決済情報を含む取引コードを発行するとともに、この発行した取引コードを情報記憶手段１００に記憶する取引コード発行手段１０１を有する構成とすることができる。
【００１３】
本発明の情報管理装置１によれば、二者間での金品の授受に伴う支払いを行うに際し、支払者が、支払受取者から提供される支払受取者識別情報および支払受取者決済情報を含む取引コードを取得し、情報管理装置１と通信ネットワークにより接続される支払者装置３から取引コードおよび支払者識別情報を送信すると、情報管理装置１は、この送信された取引コードおよび支払者識別情報を受信し、受信した取引コードと情報記憶手段１００に記憶した取引コードとを照合する。情報管理装置１は、これが照合できた場合には、受信した支払者識別情報と、この取引コードに該当する支払受取者識別情報および支払受取者決済情報とを伴って、通信ネットワークにより接続される決済装置４に決済を依頼する。これにより、支払者装置３から支払受取者装置２に対して一切の個人情報を送信することなく、決済装置４に対して支払者識別情報および支払受取者識別情報と、決済金額を含む支払受取者決済情報とを送信することができ、決済機関はこれらの情報に基づいて支払者と支払受取者との間での決済金額の決済を行うことができる。
【００１４】
ここで、支払受取者は無体物を提供する者、支払者は無体物を購入する者である場合、取引コードは、無体物を識別するための無体物識別情報を含むものとする。無体物とは、プログラム、映像、音楽やパスワード等の電子データの他、人によって提供されるサービスをいう。この場合、支払者は、支払受取者から提供される無体物を取引コードに含まれる無体物識別情報に基づいて選択し、この選択した取引コードを取得し、情報管理装置１と通信ネットワークにより接続される支払者装置３から取引コードおよび支払者識別情報を送信する。これにより、前述と同様、支払者装置３から支払受取者装置２に対して一切の個人情報を送信することなく、決済装置４に対して支払者識別情報および支払受取者識別情報と、支払受取者から提供される無体物に対する対価である決済金額を含む支払受取者決済情報とを送信することができ、決済装置４はこれらの情報に基づいて支払者と支払受取者との間での決済金額の決済を行うことができる。
【００１５】
また、支払受取者は有体物を提供する者、支払者は有体物の購入代金として支払を行う者である場合、取引コードは、有体物を識別するための有体物識別情報を含み、情報記憶手段は、支払者識別情報に関連付けて有体物の配送先に関する情報を記憶し、さらに、情報管理装置１は、決済機関による決済処理の後、有体物の配送先に関する情報を有体物の配送者側の装置（以下、「配送者装置」と称す。）へ通知する配送情報通知手段を有するものとする。この場合、支払者は、支払受取者から提供される有体物を取引コードに含まれる有体物識別情報に基づいて選択し、この選択した取引コードを取得し、情報管理装置１と通信ネットワークにより接続される支払者装置３から取引コードおよび支払者識別情報を送信する。これにより、前述と同様、支払者装置３から支払受取者装置２に対して一切の個人情報を送信することなく、決済装置４に対して支払者識別情報および支払受取者識別情報と、支払受取者から提供される有体物に対する対価である決済金額を含む支払受取者決済情報とを送信することができ、決済装置４はこれらの情報に基づいて支払者と支払受取者との間での決済金額の決済を行うことができる。また、有体物の配送については、決済機関による決済処理の後、情報管理装置１により有体物の配送先に関する情報が支払受取者装置２を介することなく配送者装置へ直接通知され、配送者により指定された配送先へ配送される。すなわち、有体物の配送先に関する情報についても支払受取者装置２に対して一切送信することなく、有体物の配送を行うことができる。
【００１６】
本発明の情報管理システムは、上記情報管理装置１と、支払受取者装置２と、支払者装置３とを含み、支払受取者装置２は、取引コード発行手段１０１により発行された取引コードを支払者装置３へ送信する取引コード送信手段を有し、支払者装置３は、支払受取者装置１により送信された取引コードを取得する手段と、支払者識別情報を取得する手段と、取得した取引コードおよび支払者識別情報を情報管理装置１へ送信する手段とを有するものである。
【００１７】
本発明の情報管理システムによれば、支払受取者装置２から支払受取者識別情報および支払受取者決済情報を含む取引コードが支払者装置３へ送信される。支払者は、支払者装置３により、この送信された取引コードを取得し、別途取得した支払者識別情報とともに情報管理装置１へ送信する。情報管理装置１は、この送信された取引コードおよび支払者識別情報を受信し、受信した取引コードと情報記憶手段１００に記憶した取引コードとを照合する。情報管理装置１は、これが照合できた場合には、受信した支払者識別情報と、この取引コードに該当する支払受取者識別情報および支払受取者決済情報とを伴って、通信ネットワークにより接続される決済装置４に決済を依頼する。これにより、支払者装置３から支払受取者装置２に対して一切の個人情報を送信することなく、決済装置４に対して支払者識別情報および支払受取者識別情報と、決済金額を含む支払受取者決済情報とを送信することができ、決済機関はこれらの情報に基づいて支払者と支払受取者との間での決済金額の決済を行うことができる。
【００１８】
ここで、情報管理装置１は、支払者装置３から送信された取引コードおよび支払者識別情報を受信した後、支払者装置３に対して決済の確認を依頼する手段を有し、支払者装置３は、情報管理装置１からの決済の確認の依頼に対して返答する手段を有することが望ましい。この場合、支払者が、支払受取者からこの取引コードを取得し、情報管理装置１と通信ネットワークにより接続される支払者装置３から取引コードおよび支払者識別情報を送信した際、一旦支払者装置３に対して情報管理装置１により決済の確認の依頼が行われる。そして、支払者が、この決済の確認の依頼に対して支払者装置３により返答すると、情報管理装置１は、この送信された取引コードおよび支払者識別情報を受信し、受信した取引コードと情報記憶手段１００に記憶した取引コードとを照合し、その後の処理を行う。
【００１９】
あるいは、支払者装置３が、情報管理装置１からの決済の確認の依頼がなされる支払者側の第２の装置（以下、「支払者第２装置」と称す。）を指定する手段を有し、情報管理装置１が、支払者装置３から送信された取引コードおよび支払者識別情報を受信した後、支払者装置３により指定された支払者第２装置に対して決済の確認を依頼する手段を有し、支払者第２装置が、情報管理装置１からの決済の確認の依頼に対して返答する手段を有することが望ましい。この場合、支払者は、支払者装置３により情報管理装置１からの決済の確認の依頼がなされる支払者第２装置を指定しておく。支払者が、支払受取者からこの取引コードを取得し、情報管理装置１と通信ネットワークにより接続される支払者装置３から取引コードおよび支払者識別情報を送信すると、一旦支払者装置３により指定された支払者第２装置に対して情報管理装置１により決済の確認の依頼が行われる。そして、支払者が、この決済の確認の依頼に対して支払者第２装置により返答すると、情報管理装置１は、この送信された取引コードおよび支払者識別情報を受信し、受信した取引コードと情報記憶手段１００に記憶した取引コードとを照合し、その後の処理を行う。
【００２０】
また、本発明の情報管理システムは、支払者装置３が、支払受取者装置２により送信された取引コードを取得し、表示する主装置と、この主装置に表示された取引コードおよび支払者識別情報が入力され、入力された取引コードおよび支払者識別情報を情報管理装置１へ送信する副装置とから構成されるものとすることができる。この場合、支払受取者装置２から取引コードが提供される主装置と、この取引コードおよび支払者識別情報が入力される副装置とが完全に分離されるので、副装置から支払受取者装置２へ個人情報が流れることはあり得ない。
【００２１】
本発明の情報管理プログラムは、コンピュータを二者間での金品の授受に伴う支払いを支援するための情報管理装置１として機能させる情報管理プログラムであって、コンピュータを、支払者を識別するための支払者識別情報と、決済機関により支払者との間で決済を行うための支払者決済情報と、支払受取者を識別するための支払受取者識別情報と、決済機関により支払受取者との間で決済を行うための決済金額を含む支払受取者決済情報と、支払受取者識別情報および支払受取者決済情報を含む取引コードとを記憶する情報記憶手段１００と、支払受取者から支払者に対し提供され通信ネットワークにより接続される支払者側の装置から送信された取引コードおよび支払者識別情報を受信する取引情報受信手段１０２と、取引情報受信手段１０２により受信した取引コードと情報記憶手段１００に記憶した取引コードとを照合し、照合できた場合に、取引情報受信手段１０２により受信した支払者識別情報と、この取引コードに該当する支払受取者識別情報および支払受取者決済情報とを伴って、通信ネットワークにより接続される決済装置４に決済を依頼する決済依頼手段１０３として機能させるためのものである。このプログラムを実行したコンピュータによれば、上記本発明の情報管理装置１と同様の作用、効果を奏することができる。
【００２２】
本発明の情報管理方法は、二者間での金品の授受に伴う支払いを支援するための情報管理装置１による情報管理方法であって、情報管理装置１が、支払者を識別するための支払者識別情報と、決済機関により支払者との間で決済を行うための支払者決済情報と、支払受取者を識別するための支払受取者識別情報と、決済機関により支払受取者との間で決済を行うための決済金額を含む支払受取者決済情報と、支払受取者識別情報および支払受取者決済情報を含む取引コードとを記憶し、情報管理装置１が、支払受取者から支払者に対して提供され通信ネットワークにより接続される支払者装置３から送信された取引コードおよび支払者識別情報を受信する取引情報受信ステップと、情報管理装置１が、取引情報受信ステップにより受信した取引コードと記憶した取引コードとを照合し、照合できた場合に、取引情報受信ステップにより受信した支払者識別情報と、この取引コードに該当する支払受取者識別情報および支払受取者決済情報とを伴って、通信ネットワークにより接続される決済装置４に決済を依頼する決済依頼ステップとを含むことを特徴とする。
【００２３】
本発明の情報管理方法によれば、支払者が、支払受取者から取引コードを取得し、情報管理装置１と通信ネットワークにより接続される支払者装置３から取引コードおよび支払者識別情報を送信すると、情報管理装置１は、この送信された取引コードおよび支払者識別情報を受信し、受信した取引コードと記憶した取引コードとを照合する。情報管理装置１は、これが照合できた場合には、受信した支払者識別情報と、この取引コードに該当する支払受取者識別情報および支払受取者決済情報とを伴って、通信ネットワークにより接続される決済装置４に決済を依頼する。これにより、支払者装置３から支払受取者装置２に対して一切の個人情報を送信することなく、決済装置４に対して支払者識別情報および支払受取者識別情報と、決済金額を含む支払受取者決済情報とを送信することができ、決済機関はこれらの情報に基づいて支払者と支払受取者との間での決済金額の決済を行うことができる。
【００２４】
本発明の情報管理方法は、二者間での金品の授受に伴う支払いを支援するための情報管理装置１と、支払受取者装置２と、支払者装置３とによるための情報管理方法であって、情報管理装置１は、支払者を識別するための支払者識別情報と、決済機関により支払者との間で決済を行うための支払者決済情報と、支払受取者を識別するための支払受取者識別情報と、決済機関により支払受取者との間で決済を行うための決済金額を含む支払受取者決済情報とを記憶し、支払受取者装置２が、支払受取者識別情報および支払受取者決済情報を含む取引コードを発行するとともに、この発行した取引コードを情報管理装置１に送信する取引コード発行ステップと、支払受取者装置２が、支払受取者から支払者に対して提供された取引コードを支払者装置３へ送信する取引コード送信ステップと、支払者装置３が、支払受取者装置２により送信された取引コードを取得するステップと、支払者装置３が、支払者識別情報を取得するステップと、支払者装置３が、取得した取引コードおよび支払者識別情報を情報管理装置１へ送信するステップと、情報管理装置１が、通信ネットワークにより接続される支払者側の装置から送信された取引コードおよび支払者識別情報を受信する取引情報受信ステップと、情報管理装置１が、取引情報受信ステップにより受信した取引コードと取引コード発行ステップにより発行された取引コードとを照合し、照合できた場合に、取引情報受信ステップにより受信した支払者識別情報と、この取引コードに該当する支払受取者識別情報および支払受取者決済情報とを伴って、通信ネットワークにより接続される決済装置４に決済を依頼する決済依頼ステップとを含むことを特徴とする。
【００２５】
本発明の情報管理方法によれば、支払受取者装置２により発行された取引コードが情報管理装置１および支払者装置３へ送信される。支払者は、支払者装置３により、この送信された取引コードを取得し、別途取得した支払者識別情報とともに情報管理装置１へ送信する。情報管理装置１は、この送信された取引コードおよび支払者識別情報を受信し、受信した取引コードと先に発行された取引コードとを照合する。情報管理装置１は、これが照合できた場合には、受信した支払者識別情報と、受信した取引コードに該当する支払受取者識別情報および支払受取者決済情報とを伴って、通信ネットワークにより接続される決済装置４に決済を依頼する。これにより、支払者装置３から支払受取者装置２に対して一切の個人情報を送信することなく、決済装置４に対して支払者識別情報および支払受取者識別情報と、決済金額を含む支払受取者決済情報とを送信することができ、決済機関はこれらの情報に基づいて支払者と支払受取者との間での決済金額の決済を行うことができる。
【００２６】
本発明の情報管理方法は、二者間での金品の授受に伴う支払いを支援するための情報管理装置１と、支払受取者装置２と、支払者装置３とによる情報管理方法であって、情報管理装置１は、支払者を識別するための支払者識別情報と、決済機関により支払者との間で決済を行うための支払者決済情報と、支払受取者を識別するための支払受取者識別情報と、決済機関４により支払受取者との間で決済を行うための決済金額を含む支払受取者決済情報とを記憶し、情報管理装置１が、通信ネットワークにより接続される支払受取者装置２に対し、支払受取者識別情報および支払受取者決済情報を含む取引コードを発行するとともに、この発行した取引コードを情報記憶手段１００に記憶する取引コード発行ステップと、支払受取者装置が、取引コード発行ステップにより発行された取引コードを支払者装置３へ送信する取引コード送信ステップと、支払者装置３が、支払受取者装置２により送信された取引コードを取得するステップと、支払者装置３が、支払者識別情報を取得するステップと、支払者装置３が、取得した取引コードおよび支払者識別情報を情報管理装置１へ送信するステップと、情報管理装置１が、通信ネットワークにより接続される支払者装置３から送信された取引コードおよび支払者識別情報を受信する取引情報受信ステップと、情報管理装置１が、取引情報受信ステップにより受信した取引コードと記憶した取引コードとを照合し、照合できた場合に、取引情報受信ステップにより受信した支払者識別情報と、この取引コードに該当する支払受取者識別情報および支払受取者決済情報とを伴って、通信ネットワークにより接続される決済装置４に決済を依頼する決済依頼ステップとを含む。
【００２７】
本発明の情報管理方法によれば、情報管理装置１により、通信ネットワークにより接続される支払受取者装置２に対し、支払受取者識別情報および支払受取者決済情報を含む取引コードが発行され、支払受取者装置２により、この発行された取引コードが支払者装置３へ送信される。支払者は、支払者装置３により、この送信された取引コードを取得し、別途取得した支払者識別情報とともに情報管理装置１へ送信する。情報管理装置１は、この送信された取引コードおよび支払者識別情報を受信し、受信した取引コードと先に発行された取引コードとを照合する。情報管理装置１は、これが照合できた場合には、受信した支払者識別情報と、受信した取引コードに該当する支払受取者識別情報および支払受取者決済情報とを伴って、通信ネットワークにより接続される決済装置４に決済を依頼する。これにより、支払者装置３から支払受取者装置２に対して一切の個人情報を送信することなく、決済装置４に対して支払者識別情報および支払受取者識別情報と、決済金額を含む支払受取者決済情報とを送信することができ、決済機関はこれらの情報に基づいて支払者と支払受取者との間での決済金額の決済を行うことができる。
【発明の効果】
【００２８】
（１）支払者を識別するための支払者識別情報と、決済機関により支払者との間で決済を行うための支払者決済情報と、支払受取者を識別するための支払受取者識別情報と、決済機関により支払受取者との間で決済を行うための決済金額を含む支払受取者決済情報とを記憶し、支払受取者から支払者に対して提供され支払者装置から送信された取引コードおよび支払者識別情報を受信し、受信した取引コードと記憶した取引コードとを照合し、照合できた場合に、受信した支払者識別情報と、この取引コードに該当する支払受取者識別情報および支払受取者決済情報とを伴って、決済装置に決済を依頼する構成により、支払者装置から支払受取者装置に対して一切の個人情報を送信することなく、決済装置に対して支払者識別情報および支払受取者識別情報と、決済金額を含む支払受取者決済情報とを送信することができ、決済機関はこれらの情報に基づいて支払者と支払受取者との間での決済金額の決済を行うことができる。これにより、オンラインショップなどの販売者等の支払受取者とその購買者等の支払者との二者間での金品の授受を行う場合に、支払者から支払受取者に対して一切の個人情報を知らせることなく簡単に支払いを行うことが可能となり、個人情報の流出や悪用等を防止することが可能となる。
【００２９】
（２）支払受取者が無体物を提供する者、支払者が無体物を購入する者であり、取引コードが無体物を識別するための無体物識別情報を含むことにより、無体物の取引について支払者から支払受取者に対して一切の個人情報を知らせることなく簡単に支払いを行うことが可能となり、個人情報の流出や悪用等を防止することができる。
【００３０】
（３）支払受取者が有体物を提供する者、支払者が有体物の購入代金として支払を行う者であり、取引コードが有体物を識別するための有体物識別情報を含み、情報記憶手段が支払者識別情報に関連付けて有体物の配送先に関する情報を記憶し、さらに、決済機関による決済処理の後、有体物の配送先に関する情報を有体物の配送者側の装置へ通知する配送情報通知手段を有する構成により、有体物の配送先に関する情報についても支払受取者装置を介することなく配送者装置へ直接通知され、配送者により指定された配送先へ配送される。これにより、有体物の取引についても支払者から支払受取者に対して一切の個人情報を知らせることなく簡単に支払いおよび配送を行うことが可能となり、個人情報の流出や悪用等を防止することができる。
【００３１】
（４）情報管理装置が、支払者装置から送信された取引コードおよび支払者識別情報を受信した後、支払者装置に対して決済の確認を依頼する手段を有し、支払者装置が、情報管理装置からの決済の確認の依頼に対して返答する手段を有することにより、支払者が、支払者装置から取引コードおよび支払者識別情報を送信した際、一旦支払者装置に対して情報管理装置により決済の確認の依頼が行われるので、誤って支払いを行うことを防止することができるとともに、本人の身に覚えのない支払いが行われることを防止することが可能となる。
【００３２】
（５）支払者装置が、情報管理装置からの決済の確認の依頼がなされる支払者第２装置を指定する手段を有し、情報管理装置が、支払者装置から送信された取引コードおよび支払者識別情報を受信した後、支払者装置により指定された支払者第２装置に対して決済の確認を依頼する手段を有し、支払者第２装置が、情報管理装置からの決済の確認の依頼に対して返答する手段を有することにより、支払者が、支払者装置から取引コードおよび支払者識別情報を送信した際、支払者自身が指定した支払者第２装置に対して情報管理装置により決済の確認の依頼が行われるので、誤って支払いを行うことを防止することができるとともに、本人の身に覚えのない支払いや他人のなりすましによる支払いが行われることを防止することが可能となる。
【００３３】
（６）支払者装置が、支払受取者装置により送信された取引コードを取得し、表示する主装置と、この主装置に表示された取引コードおよび支払者識別情報が入力され、入力された取引コードおよび支払者識別情報を情報管理装置へ送信する副装置とから構成されることにより、支払受取者装置から取引コードが提供される主装置と、この取引コードおよび支払者識別情報が入力される副装置とが完全に分離されるので、副装置から支払受取者装置へ個人情報が流れることはあり得ず、個人情報の流出や悪用等を完全に防止することができる。
【発明を実施するための最良の形態】
【００３４】
（実施の形態１）
本発明の第１の実施形態は、インターネット上で各種商品を購入する場合の例である。なお、この例においては、商品を提供する者（販売者）が支払受取者であり、この商品の購入代金として支払を行う者（購入者）が支払者である。図３は本発明の第１実施形態におけるインターネットショッピングシステムの構成図である。
【００３５】
図３において、本発明の第１実施形態におけるインターネットショッピングシステムは、情報管理会社側の情報管理装置としての情報管理サーバ１０と、商品の販売者側の装置（支払受取者装置）としての販売管理サーバ２０と、商品の購入者側の装置（支払者装置）としてのパーソナルコンピュータ（以下、「ＰＣ」と称す。）３０ａまたは携帯端末としての携帯電話装置３０ｂと、カード会社等の決済機関側の決済装置としての決済サーバ４０と、商品を購入者へ配送する配送者側の装置としての配送サーバ５０とから構成される。なお、図示しないが、各サーバ１０，２０，４０，５０、ＰＣ３０ａおよび携帯電話装置３０ｂ間は通信ネットワークとしてのインターネットにより相互に接続されているものとする。
【００３６】
情報管理サーバ１０は、各種情報を記憶する情報記憶手段１１０と、各販売者に対して各商品についての取引コードを発行する取引コード発行手段１１１と、購入者のＰＣ３０ａまたは携帯電話装置３０ｂから送信された取引コード等を受信する取引情報受信手段１１２と、取引情報受信手段１１２により受信した取引コードと取引コード発行手段１１１により発行した取引コードとを照合しカード会社等の決済サーバ４０に決済を依頼する決済依頼手段１１３と、取引情報受信手段１１２により受信した取引コードによる決済の依頼について購入者のＰＣ３０ａまたは携帯電話装置３０ｂに対して決済の確認を依頼する確認依頼手段１１４とを有する。
【００３７】
情報記憶手段１１０は、各購入者を識別するための支払者識別情報としての購入者識別情報と、決済機関により支払者との間で決済を行うための支払者決済情報としての購入者決済情報と、購入者へ商品を配送するための配送先に関する住所、氏名、電話番号等の購入者配送情報と、各販売者を識別するための支払受取者識別情報としての販売者識別情報と、決済機関により販売者との間で決済を行うための決済金額を含む支払受取者決済情報としての販売者決済情報と、取引コードとを記憶する。なお、購入者決済情報および購入者配送情報は、購入者識別情報に関連付けて情報記憶手段１１０に記憶されている。また、販売者決済情報は、販売者識別情報に関連付けて情報記憶装置１１０に記憶されている。
【００３８】
購入者識別情報とは、各購入者を識別するため、各購入者に対してそれぞれ単一に割り当てた識別情報である。識別情報は、会員番号や利用者ＩＤの他、各購入者を識別するための氏名等を含む。購入者決済情報は、各購入者の支払いのためのクレジットカード番号、銀行振込や郵便振替等を行うための口座番号や、プリペイド型の電子マネーにより支払いを行うための識別番号等の決済に必要な情報である。販売者識別情報は、購入者識別情報と同様であり、各販売者を識別するため、各販売者に対してそれぞれ単一に割り当てた識別情報である。販売者決済情報は、各販売者が販売する各商品について決済するための情報であり、例えば、各商品を識別するための名称や品番等の他、各商品の数量や決済金額等である。
【００３９】
取引コード発行手段１１１は、販売管理サーバ２０に対し、販売者識別情報および販売者決済情報を含む取引コードを発行するものである。一方、販売管理サーバ２０は、商品販売のためのウェブページをＰＣ３０ａまたは携帯電話装置３０ｂへ提供するウェブサーバ機能を有する。販売管理サーバ２０は、ＰＣ３０ａまたは携帯電話装置３０ｂからの要求に基づき、販売する各商品について、商品説明のための画像情報や文字情報等の情報に加えて、取引コード発行手段１１１により発行された取引コードをＰＣ３０ａまたは携帯電話装置３０ｂへ送信する手段を有する。取引コードは、予め各商品について販売者から情報管理会社に対して発行を依頼し、取得する。あるいは、ＰＣ３０ａまたは携帯電話装置３０ｂからの要求に基づいてその都度販売管理サーバ２０から情報管理サーバ１０に対して発行を依頼し、動的に取得してＰＣ３０ａまたは携帯電話装置３０ｂへ提供する。発行された取引コードは、情報記憶手段１１０へ記憶される。
【００４０】
取引情報受信手段１１２は、購入者のＰＣ３０ａまたは携帯電話装置３０ｂから送信された取引コードおよび購入者識別情報を受信するものである。なお、購入者のＰＣ３０ａまたは携帯電話装置３０ｂから送信される取引コードは、販売管理サーバ２０によって購入者のＰＣ３０ａまたは携帯電話装置３０ｂへ送信されたものである。購入者のＰＣ３０ａまたは携帯電話装置３０ｂは、購入を希望する商品についての取引コードを販売管理サーバ２０から取得し、購入者識別情報とともに情報管理サーバ１０へ送信する機能を有する。また、取引情報受信手段１１２は、購入者のＰＣ３０ａまたは携帯電話装置３０ｂから取引コードおよび購入者識別情報を取得した際、確認依頼手段１１４へ確認の依頼を行う。
【００４１】
確認依頼手段１１４は、取引情報受信手段１１２の依頼に基づき、購入者のＰＣ３０ａまたは携帯電話装置３０ｂへ決済の確認を依頼するものである。決済の確認は、購入者から商品購入の依頼があった旨を取引コードおよび購入者識別情報の内容とともに購入者のＰＣ３０ａまたは携帯電話装置３０ｂへ通知し、購入者が購入を希望する内容に間違いがないかどうか確認するものである。購入者のＰＣ３０ａまたは携帯電話装置３０ｂは、この確認依頼手段１１４による決済確認の依頼に対して承認または拒否を返答する手段を有する。確認依頼手段１１４は、購入者のＰＣ３０ａまたは携帯電話装置３０ｂから承認の返答がなされた場合には、取引情報受信手段１１２に対し、購入者から承認がなされた旨を通知する。
【００４２】
決済依頼手段１１３は、購入者からの承認が得られた後、取引情報受信手段１１２により受信した取引コードと情報記憶手段１１０に記憶した取引コードとを照合し、照合できた場合に、取引情報受信手段１１２により受信した購入者識別情報と、この購入者識別情報に対応する購入者決済情報と、この取引コードに該当する販売者識別情報および販売者決済情報とを伴って、決済機関側の決済サーバ４０に決済を依頼するものである。なお、決済機関側が、購入者識別情報に対応する購入者決済情報を予め有している場合には、購入者決済情報を決済サーバ４０へ送信する必要はない。
【００４３】
一方、決済サーバ４０は、決済依頼手段１１３から送信された購入者識別情報、購入者決済情報、販売者識別情報および販売者決済情報に基づき、決済処理を行うものである。なお、上記のように、決済機関側が購入者識別情報に対応する購入者決済情報を予め有している場合には、決済サーバ４０は、購入者識別情報と販売者識別情報と販売者決済情報だけで決済処理を行うことが可能である。決済サーバ４０は、クレジットカード会社、銀行、郵政公社や電子マネー取扱会社等の決済機関に配置されるが、情報管理サーバ１０と同じ情報管理会社に配置することも可能である。決済サーバ４０は、購入者識別情報、購入者決済情報、販売者識別情報および販売者決済情報に基づき、購入者のクレジットカード、銀行口座、郵便貯金口座やプリペイド型の電子マネー口座等から商品購入の代金を販売者へ移行する手続を行う。決済サーバ４０は、決済処理完了後、情報管理サーバ１０へ決済処理が完了した旨を通知する。
【００４４】
配送情報通知手段１１５は、決済サーバ４０による決済処理の後、購入者の購入者識別情報に基づいて、情報記憶手段１１０から購入者配送情報を取得し、販売者識別情報および販売者決済情報（取引コード）とともに配送者側の配送サーバ５０へ送信するものである。また、情報管理サーバ１０は、決済サーバ４０から決済処理が完了した旨を受けると、その旨を販売者の販売管理サーバ２０および購入者のＰＣ３０ａまたは携帯電話装置３０ｂへ通知する機能を有する。
【００４５】
配送サーバ５０は、配送情報通知手段１１５により送信された情報に基づいて商品を購入者へ配送する。配送する商品については、販売者から販売者識別情報および販売者決済情報（取引コード）とともに配送者へ引き渡される。配送者は、この販売者から引き渡された商品に付された販売者識別情報および販売者決済情報（取引コード）と、配送情報通知手段１１５により通知された販売者識別情報および販売者決済情報（取引コード）とを突き合わせ、配送情報通知手段１１５により通知された購入者配送情報に基づいて指定された配送先の住所まで配送する。
【００４６】
次に、上記構成のインターネットショッピングシステムによるショッピングの流れを図４のフロー図に基づいて説明する。
【００４７】
（ステップＳ１００）
購入者がＰＣ３０ａによって販売管理サーバ２０により提供される商品販売のためのウェブページを閲覧し、購入する商品を選択する。図５は販売管理サーバ２０により提供される商品販売のためのウェブページの例である。図５に示すウェブページ２００には、販売される商品に関する名称や価格等の商品情報２０１と、支払い方法を選択するためのボタン（取引コード決済ボタン２０２、カード決済ボタン２０３および代引きボタン２０４）とが含まれている。
【００４８】
（ステップＳ１０１）
購入者がこのウェブページ２００から取引コード決済ボタン２０２を選択した場合、販売管理サーバ２０は、この選択内容を情報管理サーバ１０へ送信し、取引コードの発行を要求する。なお、このとき、購入者による選択内容はＰＣ３０ａから販売管理サーバ２０へ送信されるが、各購入者個人を特定するための情報は一切ＰＣ３０ａへ送信されない。したがって、情報管理サーバ１０の取引コード発行手段１１１により発行される取引コードは、各購入者とは一切関連付けされていない。
【００４９】
（ステップＳ１０２）
発行された取引コードを販売管理サーバ２０からＰＣ３０ａへ送信する。図６は販売管理サーバ２０により提供される取引コードを含む商品販売のためのウェブページの例である。図６に示すウェブページ２１０には、販売される商品に関する名称や価格等の商品情報２１１と、取引コード２１２と、この取引コードを含む二次元コード２１３とが含まれている。
【００５０】
（ステップＳ１０３）
ここで、購入者が二次元コード読み取り機能付きの携帯電話装置３０ｂを使用して商品の購入を行う場合には、このＰＣ３０ａの画面に表示された二次元コード２１３を携帯電話装置３０ｂにより読み取る。図７はこの二次元コード２１３を携帯電話装置３０ｂにより読み取り、画面に表示した例である。購入者は、この携帯電話装置３０ｂにより読み取った内容を確認し、間違いがなければ確認ボタン２２０を押下する。二次元コード２１３には、取引コードの他、情報管理サーバ１０へこの取引コードを送信するために必要な情報が含まれている。また、携帯電話装置３０ｂから情報管理サーバ１０へ取引コードを送信する際、購入者は、携帯電話装置３０ｂに、情報管理サーバ１０に管理されている各購入者を識別するための購入者識別情報を入力して送信する。なお、購入者が二次元コード読み取り機能のない携帯電話装置３０ｂを使用する場合、ＰＣ３０ａの画面に表示された取引コード２１２を直接入力することも可能である。また、ＰＣ３０ａと携帯電話装置３０ｂとが無線や赤外線等を利用した双方向送受信機能を有するものである場合には、ＰＣ３０ａから携帯電話装置３０ｂへこの無線や赤外線等により取引コードを送信することも可能である。
【００５１】
（ステップＳ１０４）
情報管理サーバ１０は、この携帯電話装置３０ｂから送信された取引コードおよび購入者識別情報を取引情報受信手段１１２により受信すると、確認依頼手段１１４により購入者の携帯電話装置３０ｂに決済の確認の依頼を行い、購入者からの承認が得られると以後の処理を行う。なお、この決済の確認の依頼は省略することも可能である。
【００５２】
（ステップＳ１０５）
決済依頼手段１１３は、取引情報受信手段１１２により受信した取引コードと情報記憶手段１１０に記憶した取引コードとを照合し、照合できた場合に、取引情報受信手段１１２により受信した購入者識別情報と、この購入者識別情報に対応する購入者決済情報と、この取引コードに該当する販売者識別情報および販売者決済情報とを伴って、決済機関側の決済サーバ４０に決済を依頼する。
【００５３】
（ステップＳ１０６）
決済サーバ４０は、決済依頼手段１１３から送信された購入者識別情報、購入者決済情報、販売者識別情報および販売者決済情報に基づき、決済処理を行い、決済処理完了後、情報管理サーバ１０へ決済処理が完了した旨を通知する。
【００５４】
（ステップＳ１０７）
情報管理サーバ１０は、決済サーバ４０から決済処理が完了した旨を受けると、その旨を販売者の販売管理サーバ２０および購入者のＰＣ３０ａまたは携帯電話装置３０ｂへ通知する。また、情報管理サーバ１０は、配送情報通知手段１１５により、購入者の購入者識別情報に基づいて、情報記憶手段１１０から購入者配送情報を取得し、販売者識別情報および販売者決済情報（取引コード）とともに配送者側の配送サーバ５０へ送信する。
【００５５】
（ステップＳ１０８）
配送サーバ５０は、配送情報通知手段１１５により送信された情報に基づいて商品を購入者へ配送する。なお、前述のように、配送する商品については、販売者から販売者識別情報および販売者決済情報（取引コード）とともに配送者へ引き渡される。配送者は、この販売者から引き渡された商品に付された販売者識別情報および販売者決済情報（取引コード）と、配送情報通知手段１１５により通知された販売者識別情報および販売者決済情報（取引コード）とを突き合わせ、送情報通知手段１１５により通知された購入者配送情報に基づいて指定された配送先の住所まで配送する。
【００５６】
以上のように、本実施形態におけるインターネットショッピングシステムでは、販売管理サーバ２０から購入者のＰＣ３０ａに対して取引コードが提供されるだけあり、購入者のＰＣ３０ａおよび携帯電話装置３０ｂから販売管理サーバ２０に対して一切の個人情報を送信することなく、以後の処理は購入者の携帯電話装置３０ｂと情報管理サーバ１０との間で決済まで行われる。また、有体物である商品の配送先に関する情報についても、配送情報通知手段１１５により直接配送者の配送サーバ５０へ提供され、販売者側には一切知らされることがない。
【００５７】
また、情報管理サーバ１０は、携帯電話装置３０ｂから送信された取引コードおよび購入者識別情報を受信した後、携帯電話装置３０ｂに対して決済の確認を依頼するので、誤って支払いを行うことを防止することができるとともに、本人の身に覚えのない支払いが行われることを防止することが可能である。
【００５８】
また、前述のように、ＰＣ３０ａに表示された取引コードをこのＰＣ３０ａとは別の携帯電話装置３０ｂにより読み込んで情報管理サーバ１０へ送信する構成によれば、販売管理サーバ２０から取引コードが提供されるＰＣ３０ａと、この取引コードおよび支払者識別情報が入力される携帯電話装置３０ｂとが完全に分離されるので、携帯電話装置３０ｂから販売管理サーバ２０へ個人情報が流れることはあり得ず、個人情報の流出や悪用等を完全に防止することができ、購入者は安心して商品を購入することが可能である。
【００５９】
なお、商品が有体物ではなく、プログラム、映像、音楽やパスワード等の電子データの他、人によって提供されるサービス等の無体物の場合には、有体物のように商品の配送が伴わないので、配送者の配送サーバ５０への通知は不要である。この場合、支払受取者は無体物を提供する者（販売者）、支払者は無体物を購入する者（購入者）であり、取引コードは、無体物を識別するための無体物識別情報を含むものである。このような無体物の取引についても、購入者から販売者に対して一切の個人情報を知らせることなく簡単に支払いを行うことが可能となり、個人情報の流出や悪用等を防止することができる。
【００６０】
また、本実施形態におけるインターネットショッピングシステムでは、決済の確認の依頼がなされる携帯電話装置３０ｂ等を指定可能な構成とすることが可能である。この場合、購入者のＰＣ３０ａには、このＰＣ３０ａを、情報管理サーバ１０からの決済の確認の依頼がなされる購入者側の第２の装置を指定する手段として機能させるための決済プログラムがインストールされる。この決済プログラムは、図６の右上の取引コード決済読取起動ボタン２１４を押下することにより実行される。なお、この決済プログラムは、図５に示す取引コード決済ボタン２０２が押下されたときに自動的に実行される構成とすることも可能である。
【００６１】
取引コード決済読取起動ボタン２１４の押下によって、決済プログラムは、図８に示すようにＰＣ３０ａ上に決済の確認の依頼がなされる決済端末の選択画面２３０を表示する。この選択画面の各ボタン（１）、（２）、（３）、（４）には、予め購入者によってそれぞれＰＣ３０ａや携帯電話装置３０ｂ等が割り当てられている。この割り当てられた内容を示す情報は、情報管理サーバ１０の情報記憶手段１１０に記憶されている。選択画面２３０の各ボタン（１）、（２）、（３）、（４）が押下されると、この押下されたボタンの情報と、取引コードおよび購入者識別情報とがＰＣ３０ａから情報管理サーバ１０へ送信される。なお、事前に一つの決済端末が決定されている場合には、この選択画面２３０を表示することなく、この決定された決済端末に図７と同様の決済の確認の画面を送信する構成とすることも可能である。この場合、事前に一つの決済端末を決定する際に、決済プログラムは、図８に示す選択画面２３０を表示し、一つの決済端末の事前登録および変更を行わせる。
【００６２】
情報管理サーバ１０は、このＰＣ３０ａから送信された各情報を取引情報受信手段１１２により受信すると、情報記憶手段１１０を検索し、確認依頼手段１１４により、選択画面２３０の各ボタン（１）、（２）、（３）、（４）により指定された端末に図７と同様の決済の確認の画面を送信する。図９はウェブページ２１０を表示しているＰＣ３０ａ自身が指定された場合にＰＣ３０ａ上に決済の確認の画面２４０が表示された例を示している。図１０は携帯電話装置３０ｂが指定された場合に携帯電話装置３０ｂ上に決済の確認の画面２５０が表示された例を示している。
【００６３】
購入者は、指定した端末に表示された画面２４０，２５０の内容を確認し、間違いがなければ確認ボタン２４１，２５１を押下する。以後の処理については前述と同様である。なお、図１１は、購入者による確認が行われ、決済サーバ４０による決済処理がなされた後に、確認を行った端末（購入者により指定された端末、図示例ではＰＣ３０ａ）に通知される決済処理が完了した旨の通知画面２６０の例を示している。
【００６４】
この例では、購入者は、指定した端末に表示された画面２４０，２５０の内容を確認することができるので、誤って支払いを行うことを防止することができるとともに、本人の身に覚えのない支払いや他人のなりすましによる支払いが行われることを防止することが可能である。
【００６５】
また、上記説明では、購入者の装置として販売管理サーバ２０から送信された取引コードを取得し、表示するＰＣ３０ａを主装置とし、このＰＣ３０ａに表示された取引コードおよび購入者識別情報が入力され、入力された取引コードおよび購入者識別情報を情報管理サーバ１０へ送信する携帯電話装置３０ｂを副装置とする構成であるが、ＰＣ３０ａまたは携帯電話装置３０ｂのいずれを主装置としても構わない。また、ＰＣ３０ａまたは携帯電話装置３０ｂのみで処理する構成とすることも可能である。なお、携帯電話装置３０ｂは、その他のＰＤＡ（Personal Digital Assistance）やモバイルコンピュータなどの携帯端末とすることも可能である。
【００６６】
また、上記説明では、取引コードを情報管理サーバ１０が発行するものとして説明したが、この取引コードは販売者側の販売管理サーバ２０により発行する構成とすることも可能である。この場合、図３の取引コード発行手段１１１と同様の取引コード発行手段を販売管理サーバ２０が有する構成とすれば良い。この販売管理サーバ２０の取引コード発行手段は、販売者識別情報および販売者決済情報を含む取引コードを発行し、情報管理サーバ１０へ送信して情報記憶手段１１０への登録を依頼するものとする。情報管理サーバ１０は、この送信された取引コードを受信して情報記憶手段１１０へ記憶する。
【００６７】
このような構成とすることで、販売管理サーバ２０により発行した取引コードを購入者へ提供するとともに、情報管理サーバ１０へ送信することで、販売者は商品を販売することが可能となり、商品決済までの処理を簡略化することが可能となる。
【００６８】
（実施の形態２）
本発明の第２の実施形態は、第１実施形態における販売者を寄付金を募るもの（募金者）として構成したネットワーク募金システムである。この場合、第１実施形態における購入者は、寄付金の送金者である。また、販売管理サーバ２０は、募金を管理するサーバであり、このサーバによりＰＣ３０ａおよび携帯電話装置３０ｂに提供するウェブページは、募金要請を行うウェブページである。また、取引コードに含まれる決済金額については募金（送金）金額とする。
【００６９】
この構成のネットワーク募金システムでは、情報管理会社が募金者に対して取引コードを発行することになるため、募金者を審査することが可能となる。したがって、詐欺による募金を防ぐことが可能である。また、寄付金の送金者は、自分自身の個人情報を募金者に対して一切知られることなく送金することができ、また募金の送金間違いも防止することができる。また、クレジットカード、銀行振込、郵便振替や、プリペイド型の電子マネーにより、金融機関等へ出向くことなく募金を行うことが可能であるため、手軽に募金を行うことができる。また、送金金額についても、送金金額を選択して該当する取引コードにより決定することができるので、自分で自由に決めることができる。
【００７０】
（実施の形態３）
本発明の第３実施形態は、第１実施形態における販売管理サーバ２０を販売者の販売店に設置された固定端末とし、購入者は携帯電話装置３０ｂ等の携帯端末を使用するものとして構成した商品販売システムである。この場合、販売管理サーバ２０は、第１実施形態におけるＰＣ３０ａと同様に、販売管理サーバ２０自身が取引コード等を表示する機能を備えるものとする。
【００７１】
図１２は販売店に設置された固定端末の例を示している。図１２に示す固定端末３１には、ＰＣ３０ａと同様の表示画面３１ａと、購入者の携帯端末と情報の送受信を行う送受信部３１ｂとを備える。送受信部３１ｂは、購入者の携帯端末との間で、無線や赤外線等を用いて送受信を行うものである。
【００７２】
購入者の使用する携帯端末は、第１実施形態と同様に二次元コードを読み取る機能を有するものや、送受信部３１ｂと情報の送受信を行うことにより取引コードを取得する機能を有するもの等である。あるいは、手入力により取得コードを取得するものでも良い。
【００７３】
このような構成の商品販売システムでは、販売店において購入する商品について、購入者がその場で固定端末３１から携帯端末に取引コードを取得し、第１実施形態と同様の処理を行うことにより、販売管理サーバ２０に対して一切の個人情報を送信することなく、商品購入の代金の決済を行うことが可能である。
【００７４】
（実施の形態４）
本発明の第４実施形態は、第１実施形態において発行された取引コードを各商品の説明とともに新聞や雑誌等の広告物に対して広告記事として掲載した場合の例である。この場合、取引コード２１２は、商品の販売者側のＰＣ等の装置に対して発行し、販売者はこの発行された取引コード２１２を広告物へ掲載することにより購入者へ伝達する。図１３は新聞や雑誌等の広告記事の例である。
【００７５】
この場合、商品の購入者は、広告記事３２内の取引コードをＰＣ３０ａに入力するか、二次元コード読み取り機能を有する携帯電話装置３０ｂにより読み取り、第１実施形態と同様の処理を行う。このような構成であっても、購入者は商品の販売者に対して一切の個人情報を送信することなく、商品購入の代金の決済を行うことが可能である。
【００７６】
（実施の形態５）
本発明の第５実施形態は、第１実施形態において、情報管理サーバ１０に対し、ＰＣ３０ａまたは携帯電話装置３０ｂから取引コード等を送信する際、電話回線を通じて送信する場合の例である。この場合、取引情報受信手段１１２は、ＣＴＩ（コンピュータ・テレフォニ・インテグレーション）機能を有し、取引コードは、ＰＣ３０ａまたは携帯電話装置３０ｂから音データとして送信される。このような構成であっても、購入者は商品の販売者に対して一切の個人情報を送信することなく、商品購入の代金の決済を行うことが可能である。
【００７７】
（実施の形態６）
本発明の第６実施形態は、第１実施形態におけるシステムの自動販売機への応用例である。自動販売機の場合、各商品に対応する取引コードを予め発行しておき、各商品を選択するボタンが押下された際に各商品に対応する取引コードが表示される構成とする。購入者は、携帯電話装置３０ｂによりこの取引コードを取得する。取得方法は、前述の通りである。これにより、購入者は商品の販売者に対して一切の個人情報を送信することなく、商品購入の代金の決済を行うことが可能である。
【００７８】
あるいは、予め発行された取引コードを各商品のボタン部分等に表示しておき、購入者はこの表示された取引コードを携帯電話装置３０ｂにより取得する。この場合、購入者は、自動販売機に一切手を触れることなく商品購入の代金の決済を行うことが可能である。なお、取引コードの取得方法については、前述の通りであるが、第３実施形態と同様に、無線や赤外線等により自動販売機から取得する構成とすることも可能である。
【００７９】
また、この自動販売機を、電子ロッカーシステムに応用することが可能である。電子ロッカーの各箱を自動販売機の各商品に見立て、取引コードを各箱について提供する。この場合、電子ロッカーの利用料金を決済金額として取引コードを情報管理サーバ１０から取得する。決済完了後、電子ロッカーの電子キーが開錠される構成とすることが可能である。なお、この電子キーは電子ロッカーシステムだけでなく、その他の電子キーシステムとして応用することも可能である。
【００８０】
（実施の形態７）
本発明の第７実施形態は、第１実施形態におけるシステムのテレビショッピングへの応用例である。本例では、第１実施形態におけるＰＣ３０ａの表示画面をテレビ画面に見立て、購入者は携帯電話装置３０ｂ等の携帯端末を使用するものとして構成する。この場合、取引コードは、情報管理サーバ１０から販売者側のＰＣ等の装置に対して発行され、販売者はこの発行された取引コードをテレビジョン放送により放送する商品広告映像に組み込む。
【００８１】
図１４はテレビジョン放送により放送する商品広告映像を表示したテレビジョン装置３３の例である。図１４に示すように、この商品広告映像には、発行された取引コードが各商品の説明とともに含まれている。この場合、商品の購入者は、このテレビジョン装置３により表示された商品広告映像から取引コードを取得し、情報管理サーバ１０へ送信することで、商品の販売者に対して一切の個人情報を送信することなく、商品購入の代金の決済を行うことが可能である。
【００８２】
また、近年では、双方向通信に対応したテレビジョン装置が開発されているが、この場合においても商品広告映像の提供方法が変わり、ＰＣ３０ａに代えて双方向通信に対応したテレビジョン装置が使用されるだけであり、他の処理については第１実施形態におけるシステムの構成と変わりない。
【００８３】
（実施の形態８）
本発明の第８実施形態は、第１実施形態における取引コードを表示するＰＣ３０ａを携帯端末とし、購入者の携帯電話装置３０ｂ等の携帯端末との間で電子マネーのやり取りを行う例である。
【００８４】
例えば、タクシー料金のやり取りを行う料金精算システムの場合、タクシーの運転手（タクシーサービス提供者）が取引コードを表示する携帯端末やタクシーに固定した固定端末等の端末を使用し、タクシーの利用者がこの取引コードを入力する携帯端末を使用するタクシー料金精算システムとする。タクシーの運転手は、タクシーの料金が確定した段階で、携帯端末により販売管理サーバ２０へ取引コードの発行を依頼する。販売管理サーバ２０は、この要求に基づき、取引コードの発行を情報管理サーバ１０へ依頼し、取引コード発行手段１１１により発行された取引コードをタクシー運転手の携帯端末へ提供する。
【００８５】
タクシーの利用者は、自分自身の携帯端末によりこのタクシー運転手の携帯端末から取引コード等を取得する。以後の処理は前述と同様である。これにより、タクシーの利用者は、タクシーの運転手側に対して一切の個人情報を提供することなく、タクシーの料金の決済を行うことが可能である。また、このとき、情報管理サーバ１０から携帯端末へ通知された決済処理完了の旨の通知は、電子領収書として使用することも可能である。なお、取引コードの取得方法については、前述と同様である。
【００８６】
また、タクシー料金のやり取り以外にも、マッサージサービスの料金の支払い、訪問販売における商品代金の支払い、店舗外での商品販売における商品代金の支払いなど、商品またはサービスの料金の精算や、個人間での電子マネーの授受を行うことも可能である。この場合、タクシーの運転手に代えて電子マネーの受取者とし、タクシーの利用者に代えて電子マネーの送金者とする。また、タクシーの運転手が使用する端末に代えて電子マネーの受取者の携帯端末とし、タクシーの利用者の携帯端末に代えて電子マネーの送金者の携帯端末とする。
【００８７】
この構成では、電子マネーの受取者は、受取金額について情報管理サーバ１０へ取引コードの発行を依頼し、発行された取引コードを電子マネーの送金者の携帯端末へ提供する。そして、電子マネーの送金者は、自分自身の携帯端末によりこの電子マネーの受取者の携帯端末から取引コード等を取得する。以後の処理は前述と同様である。これにより、電子マネーの送金者は、電子マネーの受取者側に対して一切の個人情報を提供することなく、電子マネーの授受を行うことが可能である。なお、取引コードの取得方法については、前述と同様である。
【００８８】
（実施の形態９）
本発明の第９実施形態は、前述の第３実施形態における商品販売システムの応用例として、決済機関がプリペイド型の電子マネー取扱会社の場合に、現金チャージ機により電子マネーの補充を行う電子マネーシステムの例である。本例では、図３の販売管理サーバ２０を現金チャージ機とする。この現金チャージ機は、第１実施形態におけるＰＣ３０ａと同様に、取引コード等を表示する機能を備える。この場合、決済金額は電子マネーの補充（チャージ）金額とする。
【００８９】
図１５は現金チャージ機の表示例を示している。現金チャージ機は現金の投入口を有し、電子マネーの利用者は、この現金チャージ機の現金の投入口へ決済機関により管理する電子マネーの補充金額を投入する。現金チャージ機は、この投入された金額に応じた取引コードを発行し、情報管理サーバ１０へ送信するとともに、図１５に示すように画面表示する。情報管理サーバ１０へ送信された取引コードは、情報記憶手段１１０に記憶される。一方、利用者は、この現金チャージ機の画面に表示された取引コードを携帯電話装置３０ｂ等の携帯端末に入力し、支払者識別情報としての利用者の識別情報とともに情報管理サーバ１０へ送信する。
【００９０】
情報管理サーバ１０は、この利用者の携帯端末から送信された取引コードと情報記憶手段１１０に記憶された取引コードとを照合し、照合できた場合に、利用者の携帯端末から送信された利用者の識別情報と、取引コードに該当する支払受取者識別情報および支払受取者決済情報（電子マネーの補充金額を含む。）とを伴って、決済機関の決済サーバ４０に決済を依頼する。これにより、決済機関により管理される利用者の電子マネーに補充金額が補充される。
【産業上の利用可能性】
【００９１】
本発明の情報管理装置、情報管理システム、情報管理プログラムおよび情報管理方法は、ネットワークショッピングシステム、ネットワーク募金システム、商品販売システム、広告物、自動販売機、電子ロッカーシステム、電子キーシステム、テレビショッピングシステム、料金精算システム、電子マネー授受システム等における販売者等の支払いを受ける者とその購買者等の支払者との二者間での金品の授受を行うものとして有用である。特に、本発明は、支払者から支払いを受ける者に対して一切の個人情報を知らせることなく支払いを行うことを可能にする点で好適である。
【図面の簡単な説明】
【００９２】
【図１】本発明の情報管理装置の構成を示すブロック図である。
【図２】本発明の情報管理装置の別の構成を示すブロック図である。
【図３】本発明の第１実施形態におけるインターネットショッピングシステムの構成図である。
【図４】図３のインターネットショッピングシステムによるショッピングの流れを示すフロー図である。
【図５】販売管理サーバにより提供される商品販売のためのウェブページの例を示す図である
【図６】販売管理サーバにより提供される取引コードを含む商品販売のためのウェブページの例を示す図である。
【図７】二次元コードを携帯電話装置により読み取り、画面に表示した例を示す図である。
【図８】決済の確認の依頼がなされる決済端末の選択画面を示す図である。
【図９】ＰＣ上に決済の確認の画面が表示された例を示す図である。
【図１０】携帯電話装置上に決済の確認の画面が表示された例を示す図である。
【図１１】決済処理が完了した旨の通知画面の例を示す図である。
【図１２】販売店に設置された固定端末の例を示す図である。
【図１３】取引コードを含む新聞や雑誌等の広告記事の例を示す図である。
【図１４】テレビジョン放送により放送する商品広告映像を表示したテレビジョン装置の例を示す図である。
【図１５】現金チャージ機の表示例を示す図である。
【符号の説明】
【００９３】
１  情報管理装置
２  支払受取者装置
３  支払者装置
４  決済装置
１０  情報管理サーバ
２０  販売管理サーバ
３０ａ  ＰＣ
３０ｂ  携帯電話装置
３１  固定端末
３２  広告記事
３３  テレビジョン装置
４０  決済サーバ
５０  配送サーバ
１００，１１０  情報記憶手段
１０１，１１１  取引コード発行手段
１０２，１１２  取引情報受信手段
１０３，１１３  決済依頼手段
１１４  確認依頼手段
１１５  配送情報通知手段
２００，２１０  ウェブページ
２０１，２１１  商品情報
２０２  取引コード決済ボタン
２０３  カード決済ボタン
２０４  代引きボタン
２１２  取引コード
２１３  二次元コード
２１４  取引コード決済読取起動ボタン
２２０，２４１，２５１  確認ボタン
２３０，２４０，２５０，２６０  画面
【図１】
2006155430.tif 000003
【図２】
2006155430.tif 000004
【図３】
2006155430.tif 000005
【図４】
2006155430.tif 000006
【図５】
2006155430.tif 000007
【図６】
2006155430.tif 000008
【図７】
2006155430.tif 000009
【図８】
2006155430.tif 000010
【図９】
2006155430.tif 000011
【図１０】
2006155430.tif 000012
【図１１】
2006155430.tif 000013
【図１２】
2006155430.tif 000014
【図１３】
2006155430.tif 000015
【図１４】
2006155430.tif 000016
【図１５】
2006155430.tif 000017